(57)【要約】      （修正有）【課題】冷え過ぎの問題解消と、吹出口の近傍における冷気等の撹拌と、又は人の動作範囲における送風確保と、等が達成できるダクトの開口に設けた撹拌扇を提供する。【解決手段】ダクトＢの開口に装着される環体板部を備えたベース１と、ベースの先部側で、環体板部の開口に差渡した支持板部と、支持板部に支持するファン３と、ベースの環体板部の外周面から真中に向かって支持した複数本の止め手段とで構成した天井ダクト、又はスポットクーラのダクトの開口に設けた撹拌扇であり、ダクトからの風の攪拌が図れ、かつ冷え過ぎ解消に有効である。【選択図】図１−１
0003202659.tif 000002
【実用新案登録請求の範囲】
【請求項１】
天井ダクト、スポットクーラのダクトの開口の外周面に装着される環体板部を備えた樹脂製のキャップ形状のベースと、このベースの先部側で、かつ環体板部の開口に差渡した支持板部と、この支持板部に支持する軟質性樹脂製のファンと、前記ベースの環体板部の外周面から真中に向かって支持した複数本の止め手段とで構成した天井ダクト、スポットクーラのダクトの開口に設けた撹拌扇。
【請求項２】
請求項１に記載の天井ダクト、スポットクーラのダクトの開口に設けた撹拌扇であって、
前記止め手段は、前記ベースの環体板部の差込み側開口に設けた孔を備えた当板と、この当板の孔に差込まれた、前記ダクトの外周面に当接する止め具と、この止め具のネジ部に螺着したナットと、で構成した天井ダクト、スポットクーラのダクトの開口に設けた撹拌扇。
【請求項３】
請求項２に記載の天井ダクト、スポットクーラのダクトの開口に設けた撹拌扇であって、
前記当板は、対峙した内面を設けたU字形であり、この対峙した内面は、前記環体板部の差込み側開口の表裏面に設ける構成とした天井ダクト、スポットクーラのダクトの開口に設けた撹拌扇。
【請求項４】
請求項２に記載の天井ダクト、スポットクーラのダクトの開口に設けた撹拌扇であって、
前記ファンは、羽根と、この羽根の基端部に設けた、こしきのフランジ部の孔に差込まれる支持杆と、この支持杆の取付けられる止め具とで構成し、
このフランジ部の孔に差込まれる支持杆を、前記止め具で固定し、前記羽根を、前記こしきの放射方向に取付ける構成とした天井ダクト、スポットクーラのダクトの開口に設けた撹拌扇。
【請求項５】
請求項１に記載の天井ダクト、スポットクーラのダクトの開口に設けた撹拌扇であって、
前記羽根は、発泡樹脂製とする構造とした天井ダクト、スポットクーラのダクトの開口に設けた撹拌扇。
【考案の詳細な説明】
【技術分野】
【０００１】
本考案は、天井ダクト、スポットクーラのダクトの開口に設けた撹拌扇に関する。
【背景技術】
【０００２】
この種の天井ダクト、スポットクーラのダクトの開口（例えば、吹出口）は、局所（一箇所）に向かった、一つの構造であることから、局所に向かって冷風（暖気）等を送風（噴射）する。一箇所に向かって送風する弊害としては、冷風が直接当たることから、冷え過ぎ、位置を僅かに外れることで、冷風が届かない等の問題である。この冷え過ぎは、女子の場合は、身体に悪影響を与えるケースも増加しており、その対策が急務である。しかし、現実には、何ら手段が施されていない。
【０００３】
前記対策の一環として、特開２００４−１８３９２７号公報で開示されている。文献（１）とする。この発明は、ダクトに複数の吹出口を設けるとともに、この複数の吹出口からの送風を、センサー、及びコンピュータ等の制御機器を利用して、コントロールする構造である。従って、作業者が、作業箇所を移動するに合わせて、ダクトの先部と吹出口とを振り、送風を作業者の移動に順応する。この発明は、送風する効果を達成できる。しかし、一つの吹出口から、直接、送風することは従来と同様であり、前記の弊害の解消にはならない。
【０００４】
また、空調機の分岐ダクトの吹出口に設けたファンに関する発明として、例えば、特開２０１０−１５１４１８号公報で開示されている。文献（２）とする。この発明は、天井面に設けたグリルに、ファンを上下動可能に設け、グリルに吸込む外気量の調整を図り、グリルの吹出口からの吹出量の調整できる構造である。しかし、文献（１）と同じような弊害を抱えている。
【０００５】
【特許文献１】特開２００４−１８３９２７号公報
【特許文献２】特開２０１０−１５１４１８号公報
【考案の概要】
【考案が解決しようとする課題】
【０００６】
従来は、ダクトの一つの吹出口から、直接、送風するので、例えば、冷え過ぎの問題解消と、吹出口の近傍における冷気等の撹拌と、又は人の動作範囲における送風確保と、等を図るには、十分とは考えられない問題を抱えている。
【０００７】
これに鑑み、本考案は、冷え過ぎの問題解消と、吹出口の近傍における冷気等の撹拌と、又は人の動作範囲における送風確保と、等が達成できるダクトの開口の構造を提案する。
【課題を解決するための手段】
【０００８】
本考案は、開口（吹出口）にファンを装備する撹拌扇を設けて、吹出口の近傍に、吹出口からの風（送風）を撹拌（拡散等）することで、従来の課題である、例えば、冷え過ぎの問題解消と、人の動作範囲における送風確保と、又は送風の効率化とかを図ることにある。
【０００９】
そのために、本考案は、請求項１−５を提案する。
【考案の効果】
【００１０】
請求項１の考案は、天井ダクト、スポットクーラのダクトの開口の外周面に装着される環体板部を備えた樹脂製のキャップ形状のベースと、ベースの先部側で、かつ環体板部の開口に差渡した支持板部と、支持板部に支持する軟質性樹脂製のファンと、ベースの環体板部の外周面から真中に向かって支持した複数本の止め手段とで構成した天井ダクト、スポットクーラのダクトの開口に設けた撹拌扇である。
【００１１】
従って、請求項１は、開口からの送風（風）を、ファンで撹拌することで、開口の近傍に、風を撹拌できる特徴と、この特徴で、冷え過ぎ解消と、並びに人の動作範囲（移動範囲も有り得る）における送風確保が図れる。また、人の移動と、作業性の向上が図れること、並びに撹拌にかかる設備費の節約化に寄与できる。
【００１２】
請求項２の考案は、請求項１に記載の天井ダクト、スポットクーラのダクトの開口に設けた撹拌扇であって、
止め手段は、ベースの環体板部の差込み側開口に設けた孔を備えた当板と、当板の孔に差込まれた、ダクトの外周面に当接する止め具と、止め具のネジ部に螺着したナットと、で構成した天井ダクト、スポットクーラのダクトの開口に設けた撹拌扇である。
【００１３】
従って、請求項２は、請求項１の特徴を達成できることと、この特徴を達成できる止め手段の好ましい一例を提案する。
【００１４】
請求項３の考案は、請求項２に記載の天井ダクト、スポットクーラのダクトの開口に設けた撹拌扇であって、
当板は、対峙した内面を設けたU字形であり、対峙した内面は、環体板部の差込み側開口の表裏面に設ける構成とした天井ダクト、スポットクーラのダクトの開口に設けた撹拌扇である。
【００１５】
従って、請求項３は、請求項１の特徴を達成できることと、この特徴を達成できる止め具の好ましい一例を提案する。
【００１６】
請求項４の考案は、請求項２に記載の天井ダクト、スポットクーラのダクトの開口に設けた撹拌扇であって、
ファンは、羽根と、羽根の基端部に設けた、こしきのフランジ部の孔に差込まれる支持杆と、支持杆の取付けられる止め具とで構成し、
フランジ部の孔に差込まれる支持杆を、止め具で固定し、羽根を、こしきの放射方向に取付ける構成とした天井ダクト、スポットクーラのダクトの開口に設けた撹拌扇である。
【００１７】
従って、請求項４は、請求項１の特徴を達成できることと、この特徴を達成できるファンと、支持杆の好ましい一例を提案する。
【００１８】
請求項５の考案は、請求項１に記載の天井ダクト、スポットクーラのダクトの開口に設けた撹拌扇であって、
羽根は、発泡樹脂製とする構造とした天井ダクト、スポットクーラのダクトの開口に設けた撹拌扇である。
【００１９】
従って、請求項５は、請求項１の特徴を達成できることと、この特徴を達成できる羽根で、例えば、湿潤した雰囲気下での使用に適した羽根の好ましい一例を提案する。
【図面の簡単な説明】
【００２０】
【図１−１】天井ダクトの一部を示した状態で、ダクトに撹拌扇を設けた縮尺斜視図
【図１−２】スポットクーラにおいて、ダクトに撹拌扇を設けた縮尺斜視図
【図２−１】撹拌扇の斜視図
【図２−２】撹拌扇の正面図
【図３】撹拌扇と、ダクトの一部の分解図
【図４】他の撹拌扇の正面図
【図５】図４の撹拌扇の斜視図
【図６】図４の側面図
【図７】図４のファンの分解図
【考案を実施するための形態】
【００２１】
撹拌扇Ａは、後述するベース１と、ファン３、並びに止め手段とで構成される。
【００２２】
その好ましい一例を説明する。１は天井ダクト、スポットクーラのダクトＢの開口Ｂ１（吹出口、噴射口）の外周面Ｂ２に装着される樹脂製のキャップ形状のベース１で、このベース１は、ダクトＢの開口Ｂ１（吹出口、噴射口）の外周面Ｂ２に、嵌合、又は遊嵌して装着される環体板部１００と、この環体板部１００の先端部側開口１ｂ（支持板部１０１の先端部側Ｙに向かって、開口されている（開口とする））に差渡した支持板部１０１と、で構成される。このベース１の支持板部１０１のボス部１０２には、支持具２（ボルトとナット、ワッシャ等の冶具）を利用して軟質性樹脂製の複数の羽根３００を備えた、例えば、一体型のファン３が回転自在に取付けられる（支持板部１０１の先端部側Ｙに向かって、図３において、ベース１に横設されている）。また、止め手段は、当板５と、孔６、６と、ネジ部７ｂを備えた止め具７と、ナット８とで構成されており、好ましい一例は、ベース１の環体板部１００の差込み側に挾持される鋼材でなるU字形（Ｕ板）の当板５と、この当板５の対峙した内面５００、５０１と、この当板５に開設した孔６、６と、この孔６、６に挿入される止め具７と、この止め具７のネジ部７ｂに螺着されるナット８とで構成されている。尚、対峙した内面５００、５０１は、ベース１の差込み側開口１ａの表裏面に設けられる。当板５の孔６、６に挿入された止め具７は、そのネジ部７ｂへのナット８の螺着で、挿入状態が維持される（止め具７は、ベース１の環体板部１００より外れることはない）。
【００２３】
尚、止め具７の当板５の孔６、６への挿入と、ベース１の環体板部１００への取付は、この例では、孔６、６と、環体板部１００に開設した孔１０２とを整合した状態で、止め具７を、当板５の一方（外側にある）の孔６から、環体板部１００の孔１０１ａを通り、当板５の他方（ダクトＢ側にある）の孔６を通った段階で、そのネジ部７ｂにナット８を螺着することで、この止め具７の環体板部１００への仮締めができる。この一例では、ネジ部７ｂにナット８を螺着する位置（深さ）により、止め具７の当板５のダクトB側からの仮の突出長さが決定される。この止め具７の挿入と、取付け、及び仮の突出長さの調整等を、それぞれの止め具７に対して行うことで、一本、又は数本の止め具７（各止め具７）のベース１の環体板部１００への取付けが終了する。
【００２４】
続いて、ダクトＢの開口Ｂ１の外周面Ｂ２に、攪拌扇Ａを取付けるには、一つのナット８を締付け（開放もあり、以下省略）て、一つの止め具７の先端部７ａ、及びネジ部７ｂの当板５からの突出長さを調整し、先端部７ａを外周面Ｂ２に当接する。このような所作を、各ナット８と各止め具７に対して行うことで、ダクトＢの開口Ｂ１の外周面Ｂ２に、攪拌扇Ａが取付けられる。従って、ダクトＢの外周面Ｂ２と、環体板部１００の内周面（符号なし）には、隙間を有することが望ましい。また、ダクトＢの開口Ｂ１の外周面Ｂ２には、口金を付設し、各止め具７の脱離防止を図ることと、このダクトＢの開口Ｂ１の形状確保を図ることが望ましい。
【００２５】
また、ダクトＢの開口Ｂ１と外周面Ｂ２からの攪拌扇Ａの取外しは、前述の逆であり、割愛する。
【００２６】
図４〜図７に示した他の撹拌扇Ａ１においては、ベース１の支持板部１０１のボス部１０２には、こしき１０（轂、又はボス部）の軸部１０００を、軸受け等の手段で支持する。このこしき１０は、ベース１の環体板部１００に回転自在に支持される。このこしき１０のフランジ部１００１（外周面）には、ファン３を構成する羽根３００の支持杆３０１を差込む細孔１１が複数個開設されている。ファン３は、羽根３００と支持杆３０１を組付け可能とする構造であり、必要により、羽根３００の素材を発泡樹脂、スポンジ方式の樹脂とする。即ち、水分吸収性の素材とし、例えば、湿潤した工場での使用とか、湿気が高い場所での使用に適する構造とする。この例では、こしき１０に複数本の羽根３００の支持杆３０１を取付けてファン３を構成する。尚、フランジ部１００１への支持杆３０１の固定は、クリップ、ナット、その他の手段等の止め具３０２で行う。又は、細孔１１を螺孔とし、支持杆３０１にネジ部を設ける固定の仕方も可能である。図４及び図７では、例えば、クリップによる止め具３０２を示している。
【００２７】
ファン３は、ベース１のボス部１０２に取付けられる。そして、ベース１のダクトＢの開口Ｂ１への取付けは、前述の例に準ずる。
【００２８】
ファン３は、ダクトＢの開口Ｂ１からの送風で回転するとともに、風を攪拌、及び／又は、拡散する。また、自然風に近い雰囲気を醸成することで、冷感緩和が図れることと、場所の広狭等に対応して、フレキシブルな対応ができることによって、従来の課題解決に有効である。
【００２９】
前述の如く、ファン３を、軟質性樹脂製、又は発泡樹脂、スポンジ方式の樹脂の如く、可撓性のプラスチック製とすることで、例えば、接触した際の怪我防止と、イベント時における趣向性向上、並びにファン３の剥き出し使用を可能とすること、及び／又は、天井ダクトＣ、スポットクーラＤにおいては、局所送風であり、ファン３を、剥き出し式に使用すること、等を考慮した。
【００３０】
前述した各構造は、本考案の好ましい一例の説明である。従って、本考案は上述した各実施例に限定されるものではなく、考案の趣旨の範囲において構成の一部を変更する構造とか、同じ特徴と効果を達成できる構造、等は、本考案の範疇である。
【符号の説明】
【００３１】
１            ベース
１ａ          差込み側開口（開口）
１ｂ          先端部側開口（開口）
１００        環体板部
１０１        支持板部
１０１ａ      孔
１０２        ボス部
２            支持具
３            ファン
３００        羽根
３０１        支持杆
３０２        止め具
５            当板
６            孔
５００        内面
５０１        内面
７            止め具
７ａ          先端部
７ｂ          ネジ部
８            ナット
１０          こしき
１１          細孔
１０００      軸部
１００１      フランジ部
Ａ            撹拌扇
Ａ１          他の撹拌扇
Ｂ            ダクト
Ｂ１          開口
Ｂ２          外周面
Ｃ            天井ダクト
Ｄ            スポットクーラ
Ｙ            先端部側
【図１−１】
0003202659.tif 000003
【図１−２】
0003202659.tif 000004
【図２−１】
0003202659.tif 000005
【図２−２】
0003202659.tif 000006
【図３】
0003202659.tif 000007
【図４】
0003202659.tif 000008
【図５】
0003202659.tif 000009
【図６】
0003202659.tif 000010
【図７】
0003202659.tif 000011
【手続補正書】
【提出日】平成27年12月11日(2015.12.11)
【手続補正１】
【補正対象書類名】実用新案登録請求の範囲
【補正対象項目名】全文
【補正方法】変更
【補正の内容】
【実用新案登録請求の範囲】
【請求項１】
天井ダクト、又は、スポットクーラのダクトの開口の外周面に装着される環体板部を備えた樹脂製のキャップ形状のベースと、このベースの先部側で、かつ環体板部の開口に差渡した支持板部と、この支持板部に支持する軟質性樹脂製のファンと、前記ベースの環体板部の外周面から真中に向かって支持した複数本の止め手段とで構成した天井ダクト、又は、スポットクーラのダクトの開口に設けた撹拌扇。
【請求項２】
請求項１に記載の天井ダクト、又は、スポットクーラのダクトの開口に設けた撹拌扇であって、
前記止め手段は、前記ベースの環体板部の差込み側開口に設けた孔を備えた当板と、この当板の孔に差込まれた、前記ダクトの外周面に当接する止め具と、この止め具のネジ部に螺着したナットと、で構成した天井ダクト、又は、スポットクーラのダクトの開口に設けた撹拌扇。
【請求項３】
請求項２に記載の天井ダクト、又は、スポットクーラのダクトの開口に設けた撹拌扇であって、
前記当板は、対峙した内面を設けたU字形であり、この対峙した内面は、前記環体板部の差込み側開口の表裏面に設ける構成とした天井ダクト、又は、スポットクーラのダクトの開口に設けた撹拌扇。
【請求項４】
請求項２に記載の天井ダクト、又は、スポットクーラのダクトの開口に設けた撹拌扇であって、
前記ファンは、羽根と、この羽根の基端部に設けた、こしきのフランジ部の孔に差込まれる支持杆と、この支持杆の取付けられる止め具とで構成し、
このフランジ部の孔に差込まれる支持杆を、前記止め具で固定し、前記羽根を、前記こしきの放射方向に取付ける構成とした天井ダクト、又は、スポットクーラのダクトの開口に設けた撹拌扇。
【請求項５】
請求項４に記載の天井ダクト、又は、スポットクーラのダクトの開口に設けた撹拌扇であって、
前記羽根は、発泡樹脂製とする構造とした天井ダクト、又は、スポットクーラのダクトの開口に設けた撹拌扇。
【手続補正３】
【補正対象書類名】明細書
【補正対象項目名】０００１
【補正方法】変更
【補正の内容】
【０００１】
本考案は、天井ダクト、又は、スポットクーラのダクトの開口に設けた撹拌扇に関する。
【手続補正４】
【補正対象書類名】明細書
【補正対象項目名】０００２
【補正方法】変更
【補正の内容】
【０００２】
この種の天井ダクト、又は、スポットクーラのダクトの開口（例えば、吹出口）は、局所（一箇所）に向かった、一つの構造であることから、局所に向かって冷風（暖気）等を送風（噴射）する。一箇所に向かって送風する弊害としては、冷風が直接当たることから、冷え過ぎ、位置を僅かに外れることで、冷風が届かない等の問題である。この冷え過ぎは、女子の場合は、身体に悪影響を与えるケースも増加しており、その対策が急務である。しかし、現実には、何ら手段が施されていない。
【手続補正５】
【補正対象書類名】明細書
【補正対象項目名】００１０
【補正方法】変更
【補正の内容】
【００１０】
請求項１の考案は、天井ダクト、又は、スポットクーラのダクトの開口の外周面に装着される環体板部を備えた樹脂製のキャップ形状のベースと、ベースの先部側で、かつ環体板部の開口に差渡した支持板部と、支持板部に支持する軟質性樹脂製のファンと、ベースの環体板部の外周面から真中に向かって支持した複数本の止め手段とで構成した天井ダクト、又は、スポットクーラのダクトの開口に設けた撹拌扇である。
【手続補正６】
【補正対象書類名】明細書
【補正対象項目名】００１２
【補正方法】変更
【補正の内容】
【００１２】
請求項２の考案は、請求項１に記載の天井ダクト、又は、スポットクーラのダクトの開口に設けた撹拌扇であって、
止め手段は、ベースの環体板部の差込み側開口に設けた孔を備えた当板と、当板の孔に差込まれた、ダクトの外周面に当接する止め具と、止め具のネジ部に螺着したナットと、で構成した天井ダクト、又は、スポットクーラのダクトの開口に設けた撹拌扇である。
【手続補正７】
【補正対象書類名】明細書
【補正対象項目名】００１４
【補正方法】変更
【補正の内容】
【００１４】
請求項３の考案は、請求項２に記載の天井ダクト、又は、スポットクーラのダクトの開口に設けた撹拌扇であって、
当板は、対峙した内面を設けたU字形であり、対峙した内面は、環体板部の差込み側開口の表裏面に設ける構成とした天井ダクト、又は、スポットクーラのダクトの開口に設けた撹拌扇である。
【手続補正８】
【補正対象書類名】明細書
【補正対象項目名】００１６
【補正方法】変更
【補正の内容】
【００１６】
請求項４の考案は、請求項２に記載の天井ダクト、又は、スポットクーラのダクトの開口に設けた撹拌扇であって、
ファンは、羽根と、羽根の基端部に設けた、こしきのフランジ部の孔に差込まれる支持杆と、支持杆の取付けられる止め具とで構成し、
フランジ部の孔に差込まれる支持杆を、止め具で固定し、羽根を、こしきの放射方向に取付ける構成とした天井ダクト、又は、スポットクーラのダクトの開口に設けた撹拌扇である。
【手続補正９】
【補正対象書類名】明細書
【補正対象項目名】００１８
【補正方法】変更
【補正の内容】
【００１８】
請求項５の考案は、請求項４に記載の天井ダクト、又は、スポットクーラのダクトの開口に設けた撹拌扇であって、
羽根は、発泡樹脂製とする構造とした天井ダクト、又は、スポットクーラのダクトの開口に設けた撹拌扇である。
【手続補正１０】
【補正対象書類名】明細書
【補正対象項目名】００１９
【補正方法】変更
【補正の内容】
【００１９】
従って、請求項５は、請求項４の特徴を達成できることと、この特徴を達成できる羽根で、例えば、湿潤した雰囲気下での使用に適した羽根の好ましい一例を提案する。